(57)【要約】【課題】回動片の転動部位を転動する遊技球を確実に入賞口に入賞させることができ、且つ起立した状態のときの対向する転動部位の間隔を遊技球１個分強に設計しても、遊技球が詰まらない電動チューリップを提供する。【解決手段】電動チューリップは、入賞口を有する取付板と、取付板に回動可能に設けられた一対の回動片と、各回動片を回動させる駆動手段とを備える。各回動片において遊技球を受け止めて入賞口へ転動させる部位を転動部位とする。各回動片は、遊技球の転動部位への接触を検知する接触検知手段を備える。各回動片は、起立して遊技球を転動部位で受け止め難くする起立位置と、傾斜して遊技球を転動部位で受け止め易くする傾斜位置との間で回動する。駆動手段は、各回動片が傾斜位置にある場合に、一方の回動片の接触検知手段が遊技球の転動部位への接触を検知したことを契機に、他方の回動片を起立位置方向へ向けて一定角度回動させる。【選択図】図６
2009297270.tif 000002
【特許請求の範囲】
【請求項１】
遊技球を受け入れる入賞口を有し、遊技盤に取り付け可能な取付板と、
取付板における入賞口の左右の位置に対を成すように回動可能に設けられた一対の回動片と、
各回動片を回動させるための駆動手段とを備えた電動チューリップであって、
各回動片において遊技球を受け止めて入賞口へ転動させる部位を転動部位とし、
各回動片は、
遊技球の転動部位への接触を検知する接触検知手段を備え、
起立して遊技球を転動部位で受け止め難くする起立位置と、傾斜して遊技球を転動部位で受け止め易くする傾斜位置との間で回動し、
駆動手段は、
各回動片が傾斜位置にある場合に、一方の回動片の接触検知手段が遊技球の転動部位への接触を検知したことを契機に、他方の回動片を起立位置方向へ向けて一定角度回動させることを特徴とする電動チューリップ。
【請求項２】
一対の回動片の内で、一方を第一回動片とし、他方を第二回動片とし、
第一回動片の接触検知手段を第一接触検知手段とし、第二回動片の接触検知手段を第二接触検知手段とし、
駆動手段は、
一対の回動片を起立位置と傾斜位置との間で同期して回動させる同期駆動手段と、
第一回動片を傾動位置から起立位置方向へ向けて回動させる第一駆動手段と、
第二回動片を傾動位置から起立位置方向へ向けて回動させる第二駆動手段とを備え、
第一駆動手段は、
各回動片が傾斜位置にある場合に、第二接触検知手段が遊技球の転動部位への接触を検知したことを契機に、第一回動片を起立位置方向へ向けて一定角度回動させ、
第二駆動手段は、
各回動片が傾斜位置にある場合に、第一接触検知手段が遊技球の転動部位への接触を検知したことを契機に、第二回動片を起立位置方向へ向けて一定角度回動させることを特徴とする請求項１に記載の電動チューリップ。
【請求項３】
第二駆動手段は、
第一回動片が傾斜位置から起立位置方向へ向けて一定角度回動した位置にある場合に、第一接触検知手段が遊技球の転動部位への接触を検知したことを契機に、第二回動片を起立位置方向へ向けて一定角度回動させ、
第一駆動手段は、
第二回動片が傾斜位置から起立位置方向へ向けて一定角度回動した位置にある場合に、第二接触検知手段が遊技球の転動部位への接触を検知したことを契機に、第一回動片を起立位置方向へ向けて一定角度回動させることを特徴とする請求項２に記載の電動チューリップ。
【請求項４】
請求項１から３のいずれかに記載の電動チューリップを備えたことを特徴とするパチンコ機。
【発明の詳細な説明】
【技術分野】
【０００１】
本発明は、電動チューリップに関し、さらに詳しくは、一対の回動片の転動部位に遊技球が接触したことを検知する接触検知手段を備えた電動チューリップに関するものである。さらに、本発明は、当該電動チューリップを備えたパチンコ機に関するものである。
【背景技術】
【０００２】
従来、遊技球を用いて遊技を行う遊技機（例えば、パチンコ機）には、遊技機の遊技盤に固定される取付板、遊技球の入賞口への入賞を検知する入賞口球検知スイッチ、取付板に回動可能に設けられた一対の回動片、及び一対の回動片を同期して回動させる同期駆動手段を備えた電動チューリップが設けられている。
電動チューリップは、一対の回動片が起立した状態のときには、回動片の転動部位で遊技球を受け止めることができないので、遊技球が入賞口に入賞し難くなっているが、一対の回動片が傾斜した状態のときには、回動片の転動部位で遊技球を受け止めることができるので、受け止められた遊技球が回動片の転動部位を転動して、入賞口に入賞し易くなっている。
【０００３】
ところが、一対の回動片が傾斜した状態にある場合に、一方の回動片の転動部位を勢いよく転動した遊技球が、勢い余って他方の回動片の転動部位まで転動し、ついに他方の回動片側から零れて入賞口に入賞しないことがあった。
そこで、転動する遊技球の勢いを減衰させる減衰手段を回動片の転動部位に設け、回動片の転動部位を転動する遊技球を確実に入賞口に入賞させる技術が開示されている（特許文献１参照）。
【特許文献１】特開２００７−２４４６７０号公報
【発明の開示】
【発明が解決しようとする課題】
【０００４】
ところで、従来の電動チューリップでは、一対の回動片は、起立した状態のときの対向する転動部位の間隔が、遊技球１個分強に設計される。
しかし、特許文献１に記載された電動チューリップでは、回動片の転動部位に減衰手段が突出して設けられている。したがって、一対の回動片は、起立した状態のときに遊技球を詰まらせないために、対向する転動部位の間隔が従来の物よりも広くなるという問題点があった。
そこで、本発明は、上述のような問題に鑑みてなされたものであり、その目的とするところは、回動片の転動部位を転動する遊技球を確実に入賞口に入賞させることができ、且つ起立した状態のときの対向する転動部位の間隔を遊技球１個分強に設計しても、遊技球が詰まらない電動チューリップ、及び当該電動チューリップを備えたパチンコ機を提供することである。
【課題を解決するための手段】
【０００５】
（請求項１）
請求項１に記載の発明は、
遊技球(B)を受け入れる入賞口(29)を有し、遊技盤(3)に取り付け可能な取付板(20)と、
取付板(20)における入賞口(29)の左右の位置に対を成すように回動可能に設けられた一対の回動片(30)と、
各回動片(30)を回動させるための駆動手段とを備えた電動チューリップ(10)であって、
各回動片(30)において遊技球(B)を受け止めて入賞口(29)へ転動させる部位を転動部位(31)とし、
各回動片(30)は、
遊技球(B)の転動部位(31)への接触を検知する接触検知手段(32)を備え、
起立して遊技球(B)を転動部位(31)で受け止め難くする起立位置と、傾斜して遊技球(B)を転動部位(31)で受け止め易くする傾斜位置との間で回動し、
駆動手段は、
各回動片(30)が傾斜位置にある場合に、一方の回動片(30)の接触検知手段(32)が遊技球(B)の転動部位への接触を検知したことを契機に、他方の回動片(30)を起立位置方向へ向けて一定角度回動させることを特徴とする電動チューリップ(10)に関するものである。
【０００６】
（請求項２）
請求項２に記載の発明は、請求項１に記載の発明の特徴に加え、
一対の回動片(30)の内で、一方を第一回動片(30R)とし、他方を第二回動片(30L)とし、
第一回動片(30R)の接触検知手段(32)を第一接触検知手段(32R)とし、第二回動片(30L)の接触検知手段(32)を第二接触検知手段(32L)とし、
駆動手段は、
一対の回動片(30)を起立位置と傾斜位置との間で同期して回動させる同期駆動手段(50)と、
第一回動片(30R)を傾動位置から起立位置方向へ向けて回動させる第一駆動手段(70R)と、
第二回動片(30L)を傾動位置から起立位置方向へ向けて回動させる第二駆動手段(70L)とを備え、
第一駆動手段(70R)は、
各回動片(30)が傾斜位置にある場合に、第二接触検知手段(32L)が遊技球(B)の転動部位(31)への接触を検知したことを契機に、第一回動片(30R)を起立位置方向へ向けて一定角度回動させ、
第二駆動手段(70L)は、
各回動片(30)が傾斜位置にある場合に、第一接触検知手段(32R)が遊技球(B)の転動部位(31)への接触を検知したことを契機に、第二回動片(30L)を起立位置方向へ向けて一定角度回動させることを特徴とする電動チューリップ(10)に関するものである。
【０００７】
（請求項３）
請求項３に記載の発明は、請求項２に記載の発明の特徴に加え、
第二駆動手段(70L)は、
第一回動片(30R)が傾斜位置から起立位置方向へ向けて一定角度回動した位置にある場合に、第一接触検知手段(32R)が遊技球(B)の転動部位(31)への接触を検知したことを契機に、第二回動片(30L)を起立位置方向へ向けて一定角度回動させ、
第一駆動手段(70R)は、
第二回動片(30L)が傾斜位置から起立位置方向へ向けて一定角度回動した位置にある場合に、第二接触検知手段(32L)が遊技球(B)の転動部位(31)への接触を検知したことを契機に、第一回動片(30R)を起立位置方向へ向けて一定角度回動させることを特徴とする電動チューリップ(10)に関するものである。
【０００８】
（請求項４）
請求項４に記載の発明は、請求項１から３のいずれかに記載の電動チューリップ(10)を備えたことを特徴とするパチンコ機(P)に関するものである。
【発明の効果】
【０００９】
（請求項１）
請求項１に記載の発明によれば、各回動片が傾斜位置にある場合に、一方の回動片の接触検知手段が遊技球の転動部位への接触を検知すると、他方の回動片が起立位置方向へ向けて一定角度回動する。これにより、回動片の転動部位を転動する遊技球を確実に入賞口に入賞させることができる。
また、請求項１に記載の発明によれば、転動する遊技球の勢いを減衰させる減衰手段を回動片の転動部位に設ける必要がない。したがって、起立した状態のときの対向する転動部位の間隔を遊技球１個分強に設計しても、遊技球が詰まらない。
【００１０】
（請求項２）
請求項２に記載の発明によれば、各回動片が傾斜位置にある場合に、第二接触検知手段が遊技球の転動部位への接触を検知すると、第一回動片が起立位置方向へ向けて一定角度回動する。また、各回動片が傾斜位置にある場合に、第一接触検知手段が遊技球の転動部位への接触を検知すると、第二回動片が起立位置方向へ向けて一定角度回動する。これにより、回動片の転動部位を転動する遊技球を確実に入賞口に入賞させることができる。
また、請求項２に記載の発明によれば、転動する遊技球の勢いを減衰させる減衰手段を回動片の転動部位に設ける必要がない。したがって、起立した状態のときの対向する転動部位の間隔を遊技球１個分強に設計しても、遊技球が詰まらない。
【００１１】
（請求項３）
請求項３に記載の発明によれば、請求項２に記載の発明の効果に加え、次の効果を奏する。
すなわち、請求項３に記載の発明によれば、一方の回動片が傾斜位置から起立位置方向へ向けて一定角度回動した位置にある場合に、当該回動片の接触検知手段が遊技球の転動部位への接触を検知すると、さらに他方の回動片が傾斜位置から起立位置方向へ向けて一定角度回動する。これにより、回動片の転動部位を転動する遊技球をより確実に入賞口に入賞させることができる。
【００１２】
（請求項４）
請求項４に記載の発明によれば、請求項１から３のいずれかに記載の発明の効果と同様の効果を奏する。
【発明を実施するための最良の形態】
【００１３】
本発明を実施するための最良の形態を２例挙げて、図面を参照しつつ順次説明する。
（第１の実施の形態）
（図面の説明）
図１ないし図７は、第１の実施の形態を示すものである。
図１は、パチンコ機Pを示す斜視図である。図２は、電動チューリップ10を示す斜視図である。図３は、電動チューリップ10を示す分解斜視図である。図４は、電動チューリップ10を示す縦断面図である。図５は、電動チューリップ10における同期駆動手段50及び第一駆動手段70Rの動作を示す説明図である。図６及び図７は、電動チューリップ10における一対の回動片30の動作を示す説明図である。
【００１４】
なお、「正面」とは、パチンコ機Pにおける、遊技者が遊技を行う際に向き合う面をいう。また、「右側」とは、パチンコ機Pの正面に向き合う遊技者から見て右側を意味し、「左側」とは、パチンコ機Pの正面に向き合う遊技者から見て左側を意味する。
（パチンコ機P）
本実施の形態に係るパチンコ機Pは、遊技媒体として遊技球Bを用いて遊技が行われる。
また、パチンコ機Pは、図１に示すように、遊技場の島設備に固定される外枠1と、外枠1に嵌め込まれた本体2とを備えている。
本体2の上部には、遊技盤3が設けられている。また、本体2において、遊技盤3の下方の位置には、遊技球Bを貯留する受け皿4が設けられ、この受け皿4の下方の位置には、発射装置（図示せず）に遊技球Bを発射させるための操作ハンドル5が設けられている。
【００１５】
外枠1には、遊技盤3を正面側から覆う前扉6が設けられている。前扉6は、本体2に回動可能に取り付けられた前扉枠7と、前扉枠7に回動可能に取り付けられたガラス窓8とを備えている。また、前扉6を閉じて遊技盤3を覆ったときに、ガラス窓8越しに遊技盤3を視認できるようになっている。
遊技盤3には、その中央部に図柄表示装置9が設けられている。また、遊技盤3において、図柄表示装置9の下方の位置には、電動チューリップ10が設けられており、この電動チューリップ10の下方の位置には、大入賞口11が設けられている。さらに、遊技盤3において、図柄表示装置9の左右の位置には、それぞれ通過ゲート12が設けられ、図柄表示装置9の下方の位置には、４個の入賞チャッカー13が設けられている。なお、電動チューリップ10、大入賞口11または入賞チャッカー13に入賞した遊技球Bは、遊技盤3の裏面側へ排出される。
【００１６】
遊技盤3には、ガイドレール14等により遊技領域15が区画されており、操作ハンドル5の操作により発射された遊技球Bは、ガイドレール14に誘導されて遊技領域15に打ち出される。そして、遊技領域15に打ち出された遊技球Bは、遊技盤3に設けられた遊技釘（図示せず）などに接触して流下方向を転換しながら遊技領域15を流下する。また、遊技盤3の下部には、アウト口16が設けられており、遊技盤3の下部まで流下した遊技球Bは、アウト口16を通り抜けて遊技盤3の裏面側へ排出される。
遊技盤3の裏面には、パチンコ機Pを制御するための制御装置（図示せず）が設けられている。制御装置は、ＣＰＵを中心に構成され、ＲＯＭ、ＲＡＭ等を備えている。
【００１７】
また、制御装置は、パチンコ機Pに設けられた各種センサからの信号を入力するようになっている。具体的には、制御装置の入力側には、電動チューリップ10、大入賞口11、入賞チャッカー13、通過ゲート12等のセンサと接続されている。また、制御装置の入力側には、後述する電動チューリップ10の接触検知手段32とも接続されている。
また、制御装置は、パチンコ機Pに設けられた各種装置を制御するための信号を出力するようになっている。例えば、制御装置の出力側には、発射装置、図柄表示装置9、電動チューリップ10、大入賞口11等と接続されている。
また、制御装置は、通過ゲート12のセンサが遊技球Bを検出したことを契機に、電動チューリップ10の作動についての抽選を行う。また、制御装置は、電動チューリップ10のセンサ（後述する貫通型近接スイッチ21）が遊技球Bを検出したことを契機に、大入賞口11の作動に関する抽選を行う。
【００１８】
（電動チューリップ10）
電動チューリップ10は、図１及び図２に示すように、遊技盤3に取り付けられる取付板20と、取付板20に回動可能に設けられた一対の回動片30と、各回動片30を回動させるための駆動手段とを備えている。
遊技盤3は、厚み方向に貫通する開口部（図示せず）を有しており、取付板20は、この開口部を塞ぐように遊技盤3に取り付けられている。また、図４に示すように、取付板20には、厚み方向に貫通し、遊技球Bを受け入れるための入賞口29が設けられている。なお、本実施の形態では、取付板20を板状の部材にしたが、本発明はこれに限定されるものでない。
【００１９】
図４に示すように、取付板20の下部には、貫通型近接スイッチ21が設けられている。貫通型近接スイッチ21は、鉛直方向に貫通する始動口22を有しており、この始動口22を通過する遊技球Bを検知するものである。
図２ないし図４に示すように、取付板20の下部には、貫通型近接スイッチ21を正面側から覆う意匠板23が取り付けられている。また、取付板20の上部には、案内ゲート24が設けられている。また、取付板20の中央部には、厚み方向に貫通する一対のガイド孔25、及び一対の挿入孔26が設けられている。
ここで、一対の回動片30の内で、右側に位置する回動片30を「第一回動片30R」とし、左側に位置する回動片30を「第二回動片30L」とする。また、各回動片30において遊技球Bを受け止めて入賞口29へ転動させる部位を、以下「転動部位31」とする。具体的には、転動部位31は、受け止めた遊技球Bを入賞口29へ転動するように導く面である。
【００２０】
各回動片30には、遊技球Bの転動部位31への接触を検知する接触検知手段32が設けられている。本実施の形態では、接触検知手段32として荷重センサーが用いられており、所定以上の荷重の検知を以って、遊技球Bの転動部位31への接触を検知するようになっている。なお、第一回動片30Rの接触検知手段32を「第一接触検知手段32R」とし、第二回動片30Lの接触検知手段32を「第二接触検知手段32L」とする。
図３に示すように、各回動片30には、押圧ピン33が設けられている。各押圧ピン33は、対応するガイド孔25を貫通するとともに、対応する伝動アーム61の切り欠き部62に挿入される。また、各回動片30は、起立して遊技球Bを転動部位31で受け止め難くする「起立位置」（いわゆる閉じ状態）と、傾斜して遊技球Bを転動部位31で受け止め易くする「傾斜位置」（いわゆる開放状態）との間で回動するようになっている（図５（Ａ）・（Ｂ）参照）。なお、伝動アーム61については後述する。
【００２１】
図３に示すように、駆動手段は、一対の回動片30を起立位置と傾斜位置との間で同期して回動させる同期駆動手段50と、第一回動片30Rを傾動位置から起立位置方向へ向けて回動させる第一駆動手段70Rと、第二回動片30Lを傾動位置から起立位置方向へ向けて回動させる第二駆動手段70Lとを備えている。
同期駆動手段50は、プル型ソレノイド51と、プル型ソレノイド51の動力を第一回動片30R及び第二回動片30Lに伝動する伝動レバー60と、プル型ソレノイド51のプランジャー53を常態に復帰させるためのコイルバネ55とを備えている。
図２に示すように、プル型ソレノイド51は、取付板20の裏面に設けられた支持部材27に取り付けられる。また、プル型ソレノイド51は、図３に示すように、コイル52と、先端にフランジ54が設けられたプランジャー53とを備えている。プル型ソレノイド51は、コイル52が励磁しないときには、プランジャー53がコイルバネ55の付勢により正面側に押し出されているが（図５（Ａ）参照）、コイル52が励磁すると、プランジャー53がコイルバネ55の付勢に抗してコイル52の内部に引き込まれる（図５（Ｂ）参照）ようになっている。
【００２２】
図３に示すように、伝動レバー60は、切り欠き部62を有する一対の伝動アーム61と、一対の伝動アーム61を連結する連結ロッド63とを備えている。各伝動アーム61には、対向する面にそれぞれ押圧突起64が設けられており、これらの面の裏面にそれぞれ回転軸ピン65が設けられている。各回転軸ピン65は、対応する支持部材27の軸受孔28に挿入される。これにより、伝動レバー60は、支持部材27に回動可能に取り付けられる。また、プランジャー53のフランジ54は、各押圧突起64と連結ロッド63との間隙に位置する。また、各回動片30の押圧ピン33は、対応する伝動アーム61の切り欠き部62に挿入される。なお、第一回動片30Rに対応する伝動アーム61を「第一伝動アーム61R」とし、第二回動片30Lに対応する伝動アーム61を「第二伝動アーム61L」とする。
【００２３】
ここで、同期駆動手段50の動作について説明する。図５（Ａ）に示すように、プル型ソレノイド51のコイル52が励磁しないときには、プランジャー53が正面側に押し出されて、伝動レバー60の連結ロッド63がプランジャー53のフランジ54に押圧される。そして、伝動レバー60は、各伝動アーム61が対応する回動片30の押圧ピン33を押し下げる方向に回動する。これにより、各押圧ピン33がガイド孔25に沿って押し下げられるので、各回動片30が起立位置まで回動して、各転動部位31が対向するようになる。つまり、電動チューリップ10は、一対の回動片30が閉じ状態になるため、案内ゲート24を通過した遊技球Bのみが入賞口29に入賞できるようになる（図４参照）。
【００２４】
また、図５（Ｂ）に示すように、プル型ソレノイド51のコイル52が励磁するときには、プランジャー53がコイルの内部に引き込まれて、伝動レバー60の各押圧突起64がプランジャー53のフランジ54に押圧される。そして、伝動レバー60は、各伝動アーム61が対応する回動片30の押圧ピン33を押し上げる方向に回動する。これにより、各押圧ピン33がガイド孔25に沿って押し上げられるので、各回動片30が傾斜位置まで回動して、各転動部位31が上向きに傾斜するようになる。つまり、電動チューリップ10は、一対の回動片30が開放状態になるため、案内ゲート24を通過した遊技球Bはもちろん、案内ゲート24を通過せずに回動片30の転動部位31に受け止められた遊技球Bも入賞口29に入賞できるようになる。
【００２５】
図３に示すように、第一駆動手段70Rは、第一プッシュ型ソレノイド71Rと、第一プッシュ型ソレノイド71Rのプランジャー（図示せず）に取り付けられた第一プッシュバー72Rと、第一プッシュ型ソレノイド71Rのプランジャーを常態に復帰させるための第一コイルバネ73Rとを備えている。第二駆動手段70Lは、第二プッシュ型ソレノイド71Lと、第二プッシュ型ソレノイド71Lのプランジャー（図示せず）に取り付けられた第二プッシュバー72Lと、第二プッシュ型ソレノイド71Lのプランジャーを常態に復帰させるための第二コイルバネ73Lとを備えている。
また、第一プッシュ型ソレノイド71R及び第二プッシュ型ソレノイド71Lは、それぞれ保持板74R,74Lを備えており、この保持板74R,74Lを支持部材27に固定することにより取り付けられる（図２及び図３参照）。
【００２６】
第一プッシュ型ソレノイド71Rは、コイルが励磁しないときには、プランジャーが第一コイルバネ73Rの付勢によりコイルの内部に引き込まれているが、コイルが励磁すると、プランジャーが第一コイルバネ73Rの付勢に抗してコイルの内部から押し出されるようになっている。また、第二プッシュ型ソレノイド71Lは、コイルが励磁しないときには、プランジャーが第二コイルバネ73Lの付勢によりコイルの内部に引き込まれているが、コイルが励磁すると、プランジャーが第二コイルバネ73Lの付勢に抗してコイルの内部から押し出されるようになっている。
図２及び図３に示すように、第一プッシュバー72R及び第二プッシュバー72Lは、Ｌ字形に折り曲げられている。また、第一プッシュバー72R及び第二プッシュバー72Lは、対応する挿入孔26を貫通するとともに、先端部が対応する回動片30の真下まで達している。
【００２７】
ここで、第一駆動手段70Rの動作について説明する。第一プッシュバー72Rは、第一プッシュ型ソレノイド71Rのコイルが励磁していないときには、第一回動片30Rに接触しないようになっている。また、各回動片30が傾斜位置にある場合に第一プッシュ型ソレノイド71Rのコイルが励磁すると、第一プッシュバー72Rが上方へ移動して第一回動片30Rに接触するとともに、第一回動片30Rを上方へ押し上げる。これにより、第一回動片30Rは、傾斜位置から起立位置方向へ向けて一定角度回動する（図５（Ｃ）参照）。なお、第一伝動アーム61Rの切り欠き部62は、傾斜位置にある第一回動片30Rが第一プッシュバー72Rにより上方へ押し上げられたとき、第一回動片30Rの押圧ピン33が第一伝動アーム61Rを押し上げずに回動するように形成されている。したがって、各回動片30が傾斜位置にある場合に第一プッシュ型ソレノイド71Rのコイルが励磁すると、第一回動片30Rのみが傾斜位置から起立位置方向へ向けて一定角度回動し、第二回動片30Lは回動せずに傾斜位置のままである。
【００２８】
次に、第二駆動手段70Lの動作について説明する。第二プッシュバー72Lは、第二プッシュ型ソレノイド71Lのコイルが励磁していないときには、第二回動片30Lに接触しないようになっている。また、各回動片30が傾斜位置にある場合に第二プッシュ型ソレノイド71Lのコイルが励磁すると、第二プッシュバー72Lが上方へ移動して第二回動片30Lに接触するとともに、第二回動片30Lを上方へ押し上げる。これにより、第二回動片30Lは、傾斜位置から起立位置方向へ向けて一定角度回動する。なお、第二伝動アーム61Lの切り欠き部62は、傾斜位置にある第二回動片30Lが第二プッシュバー72Lにより上方へ押し上げられたとき、第二回動片30Lの押圧ピン33が第二伝動アーム61Lを押し上げずに回動するように形成されている。したがって、各回動片30が傾斜位置にある場合に第二プッシュ型ソレノイド71Lのコイルが励磁すると、第二回動片30Lのみが傾斜位置から起立位置方向へ向けて一定角度回動し、第一回動片30Rは回動せずに傾斜位置のままである。
【００２９】
なお、第一駆動手段70Rは、第一回動片30Rを傾斜位置から起立位置方向へ向けて一定角度回動させた場合に、第一回動片30Rの転動部位31と案内ゲート24との間隔を遊技球１個分以上確保することが望ましい。また、第二駆動手段70Lは、第二回動片30Lを傾斜位置から起立位置方向へ向けて一定角度回動させた場合に、第二回動片30Lの転動部位31と案内ゲート24との間隔を遊技球１個分以上確保することが望ましい。
（電動チューリップ10の動作）
電動チューリップ10の動作について説明する。電動チューリップ10の動作は、制御装置からの信号により制御される。
【００３０】
本実施の形態では、遊技球Bが通過ゲート12を通過すると、電動チューリップ10の作動についての抽選が行われる。そして、この抽選に当選すると、閉じ状態の電動チューリップ10の各回動片30が傾斜位置まで回動して、一定時間開放状態になる。
具体的には、電動チューリップ10のプル型ソレノイド51のコイル52が励磁することにより、起立位置にある各回動片30が傾斜位置まで回動して開放状態になる（図６（Ａ）参照）。そして、プル型ソレノイド51のコイル52が励磁してから一定時間（例えば２秒）経過すると、プル型ソレノイド51のコイル52が励磁を停止することにより、傾斜位置にある各回動片30が起立位置まで回動して閉じ状態に戻る。
【００３１】
ここで、各回動片30が傾斜位置にある場合に、一方の回動片30の接触検知手段32が遊技球Bの転動部位31への接触を検知すると、他方の回動片30が起立位置方向へ向けて一定角度回動する。
具体的には、例えば、各回動片30が傾斜位置にある場合に、第二接触検知手段32Lが遊技球Bの転動部位31への接触を検知すると、第一プッシュ型ソレノイド71Rのコイルが励磁して、第一プッシュバー72Rが第一回動片30Rを上方へ押し上げるため、第一回動片30Rが起立位置方向へ向けて一定角度回動する（図６（Ｂ）参照）。つまり、第一回動片30Rの転動部位31の傾斜が、傾斜位置のときよりも険しくなる。これにより、第二回動片30Lの転動部位31に受け止められた遊技球Bは、勢い余って第一回動片30Rの転動部位31まで転動しても（図７（Ｃ）参照）、第一回動片30Rの転動部位31を上りきれずに転げ落ちるので（図７（Ｄ）参照）、第一回動片30R側から零れ難くなるとともに、入賞口29に入賞し易くなる。
【００３２】
また、例えば、各回動片30が傾斜位置にある場合に、第一接触検知手段32Rが遊技球Bの転動部位31への接触を検知すると、第二プッシュ型ソレノイド71Lのコイルが励磁して、第二プッシュバー72Lが第二回動片30Lを上方へ押し上げるため、第二回動片30Lが起立位置方向へ向けて一定角度回動する。つまり、第二回動片30Lの転動部位31の傾斜が、傾斜位置のときよりも険しくなる。これにより、第一回動片30Rの転動部位31に受け止められた遊技球Bは、勢い余って第二回動片30Lの転動部位31まで転動しても、第二回動片30Lの転動部位31を上りきれずに転げ落ちるので、第二回動片30L側から零れ難くなるとともに、入賞口29に入賞し易くなる。
【００３３】
なお、第一プッシュ型ソレノイド71R及び第二プッシュ型ソレノイド71Lのコイルは、プル型ソレノイド51のコイル52が励磁を停止するのと同時に、励磁を停止する。
具体的には、第一プッシュ型ソレノイド71Rまたは第二プッシュ型ソレノイド71Lのいずれか一方のコイルと、プル型ソレノイド51のコイル52とが励磁している場合に、プル型ソレノイド51のコイル52が励磁してから一定時間（例えば２秒）経過すると、当該プッシュ型ソレノイドのコイルとプル型ソレノイド51のコイル52とが励磁を停止する。換言すると、第一回動片30Rまたは第二回動片30Lのいずれか一方が傾斜位置にあり、他方が起立位置方向へ向けて一定角度回動した位置にある場合において、プル型ソレノイド51のコイル52が励磁してから一定時間（例えば２秒）経過すると、各回動片30が起立位置まで回動して閉じ状態になる。
【００３４】
以上のように、本実施の形態に係る電動チューリップ10によれば、各回動片30が傾斜位置にある場合に、一方の回動片30の接触検知手段32が遊技球Bの転動部位31への接触を検知すると、他方の回動片30が起立位置方向へ向けて一定角度回動する。これにより、回動片30の転動部位31を転動する遊技球Bを確実に入賞口29に入賞させることができる。
また、本実施の形態に係る電動チューリップ10には、各回動片30の転動部位31から突出した部材が設けられていない。したがって、起立した状態のときの対向する転動部位31の間隔を遊技球１個分強に設計しても、遊技球Bが詰まらない。
なお、本発明は、上述した実施の形態に限定されるものではなく、本発明の目的を達成できる範囲における変形や改良も含むものである。
【００３５】
具体的には、本実施の形態では、第一プッシュ型ソレノイド71R及び第二プッシュ型ソレノイド71Lのコイルの励磁は、プル型ソレノイド51のコイル52の励磁と同時に停止するが、別個に停止するようにしてもよい。
例えば、プル型ソレノイド51のコイル52は、当該コイルが励磁してから４秒経過すると励磁を停止し、第一プッシュ型ソレノイド71R及び第二プッシュ型ソレノイド71Lのコイルは、当該コイルが励磁してから１秒経過すると励磁を停止するように設定する。第一プッシュ型ソレノイド71Rまたは第二プッシュ型ソレノイド71Lのいずれか一方のコイルと、プル型ソレノイド51のコイル52とが励磁している場合において、当該プッシュ型ソレノイドのコイルが励磁してから１秒経過する前にプル型ソレノイド51のコイル52が励磁してから４秒経過したときには、当該プッシュ型ソレノイド及びプル型ソレノイド51のコイル52の励磁を同時に停止するが、プル型ソレノイド51のコイル52が励磁してから４秒経過する前に当該プッシュ型ソレノイドのコイルが励磁してから１秒経過したときには、プル型ソレノイド51のコイル52は励磁したままで、当該プッシュ型ソレノイドのコイルの励磁を停止するように形成してもよい。
【００３６】
また、例えば、第一プッシュ型ソレノイド71Rまたは第二プッシュ型ソレノイド71Lのいずれか一方のコイルが励磁している場合において、当該プッシュ型ソレノイドに対応する回動片30の接触検知手段32が遊技球Bの転動部位31への接触を検知したときに、当該プッシュ型ソレノイドのコイルの励磁を停止するようにしてもよい。
これらのように、第一プッシュ型ソレノイド71Rまたは第二プッシュ型ソレノイド71Lのいずれか一方のコイルと、プル型ソレノイド51のコイル52とが励磁している場合において、プル型ソレノイド51のコイル52の励磁を停止する前に当該プッシュ型ソレノイドのコイルの励磁を停止すると、対応する回動片30が傾斜位置まで回動するので、遊技球Bを受け止め易くなる。特にプル型ソレノイド51のコイル52の励磁する１回当たりの時間が長く設定されている場合（例えば３秒以上）、つまり一対の回動片30が傾斜位置まで回動して開放状態になる１回当たりの時間が長く設定されている場合に、これらのように形成すると効果的である。
【００３７】
また、第一回動片30Rと第二回動片30Lとが略同時に遊技球Bを受け止めた場合は、第一回動片30の転動部位31を転動する遊技球Bと、第二回動片30の転動部位31を転動する遊技球Bとが衝突し、双方の遊技球Bの勢いが削がれる。したがって、一方の回動片30の転動部位31を勢いよく転動した遊技球Bが、勢い余って他方の回動片30側から零れることが起こり難いため、各回動片30を傾斜位置のままにすることで、遊技球Bを回動片30で受け止め易くしてもよい。
例えば、各回動片30が傾斜位置にある場合において、第一接触検知手段32Rと第二接触検知手段32Lとが略同時に遊技球Bの転動部位31への接触を検知したときには、駆動手段による各回動片30の起立位置方向へ向けての回動を行わないようにしてもよい。
【００３８】
具体的には、例えば、各回動片30が傾斜位置にある際に第二接触検知手段32Lが遊技球Bの転動部位31への接触を検知した場合において、第一駆動手段70Rにより第一回動片30Rが起立位置方向へ向けて回動する前に第一接触検知手段32Rが遊技球Bの転動部位31への接触を検知したときには、第一駆動手段70Rによる第一回動片30Rの起立位置方向へ向けての回動を行わず、第二駆動手段70Lによる第二回動片30Lの起立位置方向へ向けての回動も行わないようにしてもよい。
（第２の実施の形態）
第２の実施の形態に係る電動チューリップ10は、一方の回動片30が傾斜位置から起立位置方向へ向けて一定角度回動した位置にある場合に、当該回動片30の接触検知手段32が遊技球Bの転動部位31への接触を検知すると、さらに他方の回動片30が傾斜位置から起立位置方向へ向けて一定角度回動するようにした物である。
【００３９】
また、第２の実施の形態に係るパチンコ機P及び電動チューリップ10は、ハードウエアの構成については、第１の実施の形態に係るパチンコ機P及び電動チューリップ10と同様である。
そこで、一方の回動片30が傾斜位置から起立位置方向へ向けて一定角度回動した位置にある場合の動作について説明する。
（図面の説明）
図８は、第２の実施の形態を示すものであり、電動チューリップ10における一対の回動片30の動作を示す説明図である。
【００４０】
なお、図６は、第１の実施の形態に係る電動チューリップの動作を示すものであるが、第２の実施の形態に係る電動チューリップと共通する動作なので、図６も参照しつつ説明する。
（電動チューリップ10の動作）
電動チューリップ10の動作について説明する。電動チューリップ10の動作は、制御装置からの信号により制御される。
本実施の形態では、遊技球Bが通過ゲート12を通過すると、電動チューリップ10の作動についての抽選が行われる。そして、この抽選に当選すると、閉じ状態の電動チューリップ10の各回動片30が傾斜位置まで回動して開放状態になる（図６（Ａ）参照）。そして、各回動片30が開放状態になってから一定時間（例えば約２秒）経過すると、傾斜位置にある各回動片30が起立位置まで回動して閉じ状態に戻る。
【００４１】
また、各回動片30が傾斜位置にある場合に、一方の回動片30の接触検知手段32が遊技球Bの転動部位31への接触を検知すると、他方の回動片30が起立位置方向へ向けて一定角度回動する（図６（Ｂ）参照）。
そして、一方の回動片30が傾斜位置から起立位置方向へ向けて一定角度回動した位置にある場合に、当該回動片30の接触検知手段32が遊技球Bの転動部位31への接触を検知すると、さらに他方の回動片30が傾斜位置から起立位置方向へ向けて一定角度回動する。
具体的には、例えば、第一回動片30Rが傾斜位置から起立位置方向へ向けて一定角度回動した位置にある場合に、第一接触検知手段32Rが遊技球Bの転動部位31への接触を検知すると、第二プッシュ型ソレノイド71Lのコイルが励磁して、第二プッシュバー72Lが第二回動片30Lを上方へ押し上げるため、第二回動片30Lが起立位置方向へ向けて一定角度回動する（図８（Ｃ）参照）。つまり、第二回動片30Lの転動部位31の傾斜が、傾斜位置のときよりも険しくなる。これにより、第二回動片30Lの転動部位31に受け止められたが第一回動片30Rの転動部位31まで転動した遊技球Bは、再び第二回動片30Lの転動部位31まで転動しても（図８（Ｄ）参照）、第二回動片30Lの転動部位31を上りきれずに転げ落ちるので（図８（Ｅ）参照）、第二回動片30L側からも零れ難くなるとともに、さらに入賞口29に入賞し易くなる。
【００４２】
また、例えば、第二回動片30Lが傾斜位置から起立位置方向へ向けて一定角度回動した位置にある場合に、第二接触検知手段32Lが遊技球Bの転動部位31への接触を検知すると、第一プッシュ型ソレノイド71Rのコイルが励磁して、第一プッシュバー72Rが第一回動片30Rを上方へ押し上げるため、第一回動片30Rが起立位置方向へ向けて一定角度回動する。つまり、第一回動片30Rの転動部位31の傾斜が、傾斜位置のときよりも険しくなる。これにより、第一回動片30Rの転動部位31に受け止められたが第二回動片30Lの転動部位31まで転動した遊技球Bは、再び第一回動片30Rの転動部位31まで転動しても、第一回動片30Rの転動部位31を上りきれずに転げ落ちるので、第一回動片30R側からも零れ難くなるとともに、さらに入賞口29に入賞し易くなる。
【００４３】
なお、第一プッシュ型ソレノイド71R及び第二プッシュ型ソレノイド71Lのコイルは、プル型ソレノイド51のコイル52が励磁を停止するのと同時に、励磁を停止する。
具体的には、プル型ソレノイド51、第一プッシュ型ソレノイド71R及び第二プッシュ型ソレノイド71Lのコイルが励磁している場合に、プル型ソレノイド51のコイル52が励磁してから一定時間（例えば２秒）経過すると、各ソレノイドのコイルが励磁を停止する。換言すると、第一回動片30R及び第二回動片30Lが傾斜位置から起立位置方向へ向けて一定角度回動した位置にある場合において、プル型ソレノイド51のコイル52が励磁してから一定時間（例えば２秒）経過すると、各回動片30が起立位置まで回動して閉じた状態になる。
【００４４】
また、第一プッシュ型ソレノイド71Rまたは第二プッシュ型ソレノイド71Lのいずれか一方のコイルと、プル型ソレノイド51のコイル52とが励磁している場合に、プル型ソレノイド51のコイル52が励磁してから一定時間（例えば２秒）経過すると、当該プッシュ型ソレノイドのコイルとプル型ソレノイド51のコイル52とが励磁を停止する。換言すると、第一回動片30Rまたは第二回動片30Lのいずれか一方が傾斜位置にあり、他方が起立位置方向へ向けて一定角度回動した位置にある場合において、プル型ソレノイド51のコイル52が励磁して以後、他方の回動片30の接触検知手段32が遊技球Bの接触を検知することなく一定時間（例えば２秒）経過すると、各回動片30が起立位置まで回動して閉じ状態になる。
【００４５】
以上のように、本実施の形態に係る電動チューリップ10によれば、各回動片30が傾斜位置にある場合に、一方の回動片30の接触検知手段32が遊技球Bの転動部位31への接触を検知すると、他方の回動片30が起立位置方向へ向けて一定角度回動する。これにより、回動片30の転動部位31を転動する遊技球Bを確実に入賞口29に入賞させることができる。
また、本実施の形態に係る電動チューリップ10によれば、一方の回動片30が傾斜位置から起立位置方向へ向けて一定角度回動した位置にある場合に、当該回動片30の接触検知手段32が遊技球Bの転動部位31への接触を検知すると、さらに他方の回動片30が傾斜位置から起立位置方向へ向けて一定角度回動する。これにより、回動片30の転動部位31を転動する遊技球Bをより確実に入賞口29に入賞させることができる。
【００４６】
また、本実施の形態に係る電動チューリップ10には、各回動片30の転動部位31から突出した部材が設けられていない。したがって、起立した状態のときの対向する転動部位31の間隔を遊技球１個分強に設計しても、遊技球Bが詰まらない。
なお、本発明は、上述した実施の形態に限定されるものではなく、本発明の目的を達成できる範囲における変形や改良も含むものである。
具体的には、本実施の形態では、第一プッシュ型ソレノイド71R及び第二プッシュ型ソレノイド71Lのコイルの励磁は、プル型ソレノイド51のコイル52の励磁と同時に停止するが、別個に停止するようにしてもよい。
【００４７】
例えば、プル型ソレノイド51のコイル52は、当該コイルが励磁してから４秒経過すると励磁を停止し、第一プッシュ型ソレノイド71R及び第二プッシュ型ソレノイド71Lのコイルは、当該コイルが励磁してから１秒経過すると励磁を停止するように設定する。プル型ソレノイド51、第一プッシュ型ソレノイド71R及び第二プッシュ型ソレノイド71Lのコイルが励磁している場合において、プッシュ型ソレノイドのコイルが励磁してから１秒経過する前にプル型ソレノイド51のコイル52が励磁してから４秒経過したときには、プル型ソレノイド51、第一プッシュ型ソレノイド71R及び第二プッシュ型ソレノイド71Lのコイルの励磁を同時に停止するが、プル型ソレノイド51のコイル52が励磁してから４秒経過する前に第一プッシュ型ソレノイド71Rまたは第二プッシュ型ソレノイド71Lのいずれか一方のコイルが励磁してから１秒経過したときには、プル型ソレノイド51のコイル52は励磁したままで、１秒経過したプッシュ型ソレノイドのコイルの励磁を停止するように形成してもよい。または、プル型ソレノイド51のコイル52が励磁してから４秒経過する前に第一プッシュ型ソレノイド71R及び第二プッシュ型ソレノイド71Lのコイルが励磁してから１秒経過したときに、プル型ソレノイド51のコイル52は励磁したままで、第一プッシュ型ソレノイド71R及び第二プッシュ型ソレノイド71Lのコイルの励磁を停止するように形成してもよい。
【００４８】
また、例えば、プル型ソレノイド51、第一プッシュ型ソレノイド71R及び第二プッシュ型ソレノイド71Lのコイルが励磁している場合において、最後に励磁を開始したプッシュ型ソレノイドに対応する回動片30の接触検知手段32が、遊技球Bの転動部位31への接触を検知したときに、第一プッシュ型ソレノイド71R及び第二プッシュ型ソレノイド71Lのコイルの励磁を停止するようにしてもよい。
これらのように、プル型ソレノイド51、第一プッシュ型ソレノイド71R及び第二プッシュ型ソレノイド71Lのコイルが励磁している場合において、プル型ソレノイド51のコイル52の励磁を停止する前にプッシュ型ソレノイドのコイルの励磁を停止すると、対応する回動片30が傾斜位置まで回動するので、遊技球Bを受け止め易くなる。特にプル型ソレノイド51のコイル52の励磁する１回当たりの時間が長く設定されている場合（例えば３秒以上）、つまり一対の回動片30が傾斜位置まで回動して開放状態になる１回当たりの時間が長く設定されている場合に、これらのように形成すると効果的である。
【００４９】
（他の実施の形態）
上述した実施の形態に係る駆動手段は、一対の回動片30を起立位置と傾斜位置との間で同期して回動させる同期駆動手段50と、第一回動片30Rを傾動位置から起立位置方向へ向けて回動させる第一駆動手段70Rと、第二回動片30Lを傾動位置から起立位置方向へ向けて回動させる第二駆動手段70Lとを備えている。ここで、傾斜位置から起立位置方向へ向けて一定角度回動した回動片の位置を「零れ防止位置」とし、駆動手段は、第一回動片30Rのみを起立位置、傾斜位置または零れ防止位置に回動させる「第一回動片用駆動手段」と、第二回動片30Lのみを起立位置、傾斜位置または零れ防止位置に回動させる「第二回動片用駆動手段」とを備えるように形成されてもよい。
【００５０】
具体的には、電動チューリップ10に、第一回動片用駆動手段として、第一回動片30Rの押圧ピン33を回転軸にして回動するように第一回動片30Rを駆動する第一回動片用モータ（例えば、超音波モータ等）を設ける。また、電動チューリップ10に、第二回動片用駆動手段として、第二回動片30Lの押圧ピン33を回転軸にして回動するように第二回動片30Lを駆動する第二回動片用モータ（例えば、超音波モータ等）を設ける。そして、第一回動片用モータは、各回動片30が傾斜位置にある場合に、第二接触検知手段32Lが遊技球Bの転動部位31への接触を検知したことを契機に、第一回動片30Rを零れ防止位置まで回動させる。また、第二回動片用モータは、各回動片30が傾斜位置にある場合に、第一接触検知手段32Rが遊技球Bの転動部位31への接触を検知したことを契機に、第二回動片30Lを零れ防止位置まで回動させる。なお、第一回動片用モータ及び第二回動片用モータは、一対の回動片を起立位置と傾斜位置との間で同期して回動させることが可能に形成されることが望ましい。
【００５１】
以上のように形成することにより、駆動手段の部品点数を第１の実施の形態よりも減らすことができ、電動チューリップ10の小型化を図ることができる。
【図面の簡単な説明】
【００５２】
【図１】第１の実施の形態に係るパチンコ機を示す斜視図である。
【図２】第１の実施の形態に係る電動チューリップを示す斜視図である。
【図３】第１の実施の形態に係る電動チューリップを示す分解斜視図である。
【図４】第１の実施の形態に係る電動チューリップを示す縦断面図である。
【図５】第１の実施の形態に係る電動チューリップにおける同期駆動手段及び第一駆動手段の動作を示す説明図である。
【図６】第１の実施の形態に係る電動チューリップにおける一対の回動片の動作を示す説明図である。
【図７】第１の実施の形態に係る電動チューリップにおける一対の回動片の動作を示す説明図である。
【図８】第２の実施の形態に係る電動チューリップにおける一対の回動片の動作を示す説明図である。
【符号の説明】
【００５３】
P   パチンコ機                        B   遊技球
1   外枠                              2   本体
3   遊技盤                            4   受け皿
5   操作ハンドル                      6   前扉
7   前扉枠                            8   ガラス窓
9   図柄表示装置                      10  電動チューリップ
11  大入賞口                          12  通過ゲート
13  入賞チャッカー                    14  ガイドレール
15  遊技領域                          16  アウト口
20  取付板                            21  貫通型近接スイッチ
22  始動口                            23  意匠板
24  案内ゲート                        25  ガイド孔
26  挿入孔                            27  支持部材
28  軸受孔                            29  入賞口
30  回動片                            30R 第一回動片
30L 第二回動片                        31  転動部位
32  接触検知手段                      32R 第一接触検知手段
32L 第二接触検知手段                  33  押圧ピン
50  同期駆動手段                      51  プル型ソレノイド
52  コイル                            53  プランジャー
54  フランジ                          55  コイルバネ
60  伝動レバー                        61  伝動アーム
61R 第一伝動アーム                    61L 第二伝動アーム
62  切り欠き部                        63  連結ロッド
64  押圧突起                          65  回転軸ピン
70R 第一駆動手段                      71R 第一プッシュ型ソレノイド
72R 第一プッシュバー                  73R 第一コイルバネ
74R 保持板
70L 第二駆動手段                      71L 第二プッシュ型ソレノイド
72L 第二プッシュバー                  73L 第二コイルバネ
74L 保持板
【図１】
2009297270.tif 000003
【図２】
2009297270.tif 000004
【図３】
2009297270.tif 000005
【図４】
2009297270.tif 000006
【図５】
2009297270.tif 000007
【図６】
2009297270.tif 000008
【図７】
2009297270.tif 000009
【図８】
2009297270.tif 000010